(57)【要約】【課題】引戸Ｄの開き操作での指詰めを防止しつつ、引手Ｐの回転板４０に対する衝撃を緩和してその耐久性を高め、指掛けの深さを十分に確保する。【解決手段】引戸Ｄにおける戸パネルＤ２（Ｄ１）の取付穴Ｄ３に嵌挿され、指掛け部１０を有する引手本体１１と、引手本体１１に回転軸４４回りに非操作位置及び操作位置の間で回転可能に取り付けられ、回転軸４４両側に操作部４２及びストッパ部４３を有し、非操作位置では操作部４２で指掛け部１０の開口部を塞ぎ、操作位置ではストッパ部４３が開口部から突出し、ストッパ部４３裏面に操作位置で戸パネルＤ２（Ｄ１）の表面に対して垂直な戸当たり面４５が設けられた回転板４０と、引手本体１１の指掛け部１０内の側壁部に設けられ、操作位置にある回転板４０の戸当たり面４５に加わる衝撃を分散するように回転板４０の操作部４２裏面に対し複数の点で接触する接触部２０とを備える。【選択図】図１７
2011012439.tif 000002
【特許請求の範囲】
【請求項１】
引戸における戸パネルの取付穴に取り付けられる引手であって、
上記戸パネルの取付穴に嵌挿され、開口部を有する指掛け部が形成された引手本体と、
上記引手本体に上下方向の回転軸を中心として非操作位置及び操作位置の間で回転可能に取り付けられ、かつ上記回転軸の両側にそれぞれ操作部とストッパ部とを有し、上記非操作位置では上記操作部により上記指掛け部の開口部の少なくとも一部を塞ぐ一方、操作部を指掛け部内へ押すことで上記非操作位置から操作位置に回転して、該操作位置ではストッパ部が指掛け部の開口部から突出し、上記ストッパ部の裏面には、上記操作位置でストッパ部が指掛け部の開口部から突出した際に戸パネルの表面に対して垂直となる戸当たり面が設けられた回転板と、
上記引手本体の指掛け部内の側壁部に設けられ、上記回転板の操作位置で上記戸当たり面に衝撃が加わった際に、該衝撃を分散するように回転板の操作部裏面に対し面ないし複数の点で接触する接触部とを備えることを特徴とする引手。
【請求項２】
請求項１において、
戸パネルには、その表裏面間を貫通する取付穴が形成され、
上記取付穴に嵌挿される引手本体には、戸パネルの表面側から裏面側まで貫通しかつ両端に開口部を有する貫通穴からなる指掛け部が形成されており、
上記指掛け部の両開口部をそれぞれ塞ぐ２つの回転板が設けられていることを特徴とする引手。
【請求項３】
請求項２において、
非操作位置にある回転板の操作部と指掛け部の開口部との間の隙間を通って戸パネル両側の一方の空間の明かりが他方の空間に漏れることを規制する明かり漏れ規制機構を備えることを特徴とする引手。
【請求項４】
請求項３において、
明かり漏れ規制機構は、指掛け部の開口部壁面から開口部中央側へ延びる突起部を備えていて、該突起部が非操作位置にある回転板の操作部にその外側となるように重なり合うことにより明かりの漏れを規制するものであることを特徴とする引手。
【請求項５】
請求項１において、
指掛け部は有底の穴からなり、
回転板の操作部は、非操作位置にあるときに開口部の一部から指掛け部内に指が挿入可能となるように該開口部を部分的に塞ぐものであることを特徴とする引手。
【請求項６】
請求項１〜５のいずれか１つにおいて、
引手本体は、回転板を取り付けるための回転板取付部を備え、
上記回転板取付部は戸パネルに対し、操作位置にある回転板の戸当たり面と平行に延びる固定部材により固定されていることを特徴とする引手。
【請求項７】
請求項１〜６のいずれか１つの引手が戸パネルに対し、回転板が戸パネルの表裏面の少なくとも控え壁側又は引違い戸パネル側の面に位置するように取り付けられ、
上記引手における回転板の回転軸からストッパ部先端までの長さよりも、上記戸パネルと控え壁又は引違い戸パネルとの間の隙間の間隔が短いことを特徴とする引戸。
【発明の詳細な説明】
【技術分野】
【０００１】
本発明は、引手及びそれを用いた引戸に関し、特に指詰めの防止と引手の耐久性の向上とを図る技術に関する。
【背景技術】
【０００２】
一般に、引戸においては、その開閉を戸パネルの面に沿った方向（戸パネルと平行方向）のスライド移動により行うようになっており、この引戸の開閉を行い易くするために、従来、戸パネルにその表裏面に亘り貫通する穴を設けるか、又は戸パネルの表裏面の少なくとも一方に有底の穴を設けて、これらの取付穴に引手を取り付けることが行われている。この引手には、指が掛けられる指掛け凹部が設けられており、戸パネルの取付穴にそれを塞ぐように取付固定される。
【０００３】
しかしながら、この従来の引手を用いた引戸は、それを開くときに、戸パネルと控え壁又は引違い戸パネル（引戸が引き違い型であるときの他の戸パネル）との間の隙間に指が挟みこまれる、いわゆる指詰めの虞れがある。
【０００４】
これを解決するために、従来、引手に回転板をその指掛け凹部が塞がれるように回転可能に設け、その回転板の一端側を指掛け凹部内に向かって押すことで、回転板を回転軸を中心に回転させ、回転板の一端が指掛け凹部の底面に接した状態では、他端側が戸パネルの表面に対して斜めに立ち上がるようにすることが提案されている（特許文献１参照）。
【０００５】
このような回転板を設けた引手を引戸に用いると、斜めに立ち上がった回転板の他端側が控え壁又は引違い戸パネルに当たるので、その回転板がストッパとなって指詰めを防止することができる。
【先行技術文献】
【特許文献】
【０００６】
【特許文献１】特開昭６１−２３７７７５号公報
【発明の概要】
【発明が解決しようとする課題】
【０００７】
ところが、上記提案例の引手では、回転板はその他端部が斜めに立ち上がり、一端が指掛け凹部の底面に接した状態で控え壁又は引違い戸パネルに当たる構造となっているため、回転板が控え壁又は引違い戸パネルに当たった際に、その衝撃を回転軸と指掛け凹部の底面に接する一端部とで受けることになり、回転軸や回転板が壊れ易く、引手の耐久性に劣るという問題があった。
【０００８】
さらに、控え壁又は引違い戸パネルに回転板が当たる際に、その衝撃を斜めに立ち上がった回転板の他端という線状の部位で受けるため、衝撃の集中によって回転板が曲がる等の変形が起こる虞れがあり、また回転板が当たる控え壁又は引違い戸パネルの端部が傷付き易いという問題もある。
【０００９】
また、回転板が一端部を指掛け凹部内に配置して斜めに立ち上がっているため、その回転板に邪魔されて指掛けの深さを十分に確保することができず、特に手のカが弱い高齢者等にとって引戸の開閉が困難となる場合があった。
【００１０】
本発明は斯かる諸点に鑑みてなされたもので、その目的は、引戸の開き操作での指詰めを防止しつつ、引手の回転板に対する衝撃を緩和して引手の耐久性を高めるとともに、指掛けの深さを十分に確保しようとすることにある。
【課題を解決するための手段】
【００１１】
上記の目的を達成するために、この発明では、回転板の引手本体から突出した部分の裏面に、戸パネルと垂直であって控え壁又は引違い戸パネルと面で接触する戸当たり面を形成する一方、引手本体の指掛け部内の側壁部には、この戸当たり面から回転板に加わった荷重を面ないし複数の点で受ける接触部を設けることで、回転板に加わった衝撃を分散させるようにした。尚、本発明では、戸パネルとは引戸を構成する戸をいうものとし、引違い戸パネルとは、対象とする戸パネルと組み合わされて引戸を構成する戸パネルをいうものとする。
【００１２】
具体的には、請求項１の発明では、引戸における戸パネルの取付穴に取り付けられる引手として、上記戸パネルの取付穴に嵌挿され、開口部を有する指掛け部が形成された引手本体と、この引手本体に上下方向の回転軸を中心として非操作位置及び操作位置の間で回転可能に取り付けられ、かつ上記回転軸の両側にそれぞれ操作部及びストッパ部を有し、上記非操作位置では上記操作部により上記指掛け部の開口部の少なくとも一部を塞ぐ一方、操作部を指掛け部内へ押すことで上記非操作位置から操作位置に回転して、その操作位置ではストッパ部が指掛け部の開口部から突出し、上記ストッパ部の裏面には、上記操作位置でストッパ部が指掛け部の開口部から突出した際に戸パネルの表面に対して垂直となる戸当たり面が設けられた回転板と、上記引手本体の指掛け部内の側壁部に設けられ、上記回転板の操作位置で上記戸当たり面に衝撃が加わった際に、その衝撃を分散するように回転板の操作部裏面に対し面ないし複数の点で接触する接触部とを備えることを特徴とする。
【００１３】
この請求項１の発明では、引手に指を入れて引戸の戸パネルを開くときには、非操作位置にある回転板の操作部を指掛け部内に押し込むことで回転板を操作位置に回転させる。その操作位置では回転板のストッパ部が指掛け部の開口部から突出し、そのストッパ部裏面の戸当たり面が戸パネルの表面に対して垂直となる一方、操作部の裏面は指掛け部内の側壁部の接触部に当接する。そして、戸パネルの開き動作時には、回転板の操作部裏面を接触部に押し付けたまま戸パネルを開き方向にスライドさせると、その開き位置では、指掛け部の開口部から突出したストッパ部裏面の戸当たり面が控え壁又は引違い戸パネル（引戸が引き違い型であるときの他の戸パネル）の端部に当たって引戸の開き動作が停止する。この回転板による停止規制により、指掛け部に挿入した指が戸パネルと控え壁又は引違い戸パネルとの間に挟まれることはなく、指詰めが防止される。
【００１４】
一方、引戸を閉じるときには、指掛け部内に指を挿入して接触部と反対側の側壁部に引っ掛け、戸パネルを閉じ方向にスライドさせればよい。
【００１５】
上記回転板の操作位置では、そのストッパ部裏面の戸当たり面は戸パネルの表面に対し垂直となって立ち上がっているので、そのストッパ部の戸当たり面に控え壁又は引違い戸パネルの端部が当たる際に、戸当たり面と控え壁又は引違い戸パネルとが面接触状態で当たるようになる。しかも、この戸当たり面に控え壁又は引違い戸パネルが当たったときには、操作部の裏面も接触部と面ないし複数の点で接触する。これらにより、控え壁又は引違い戸パネルが当たった際の衝撃が戸当たり面での面接触状態と接触部での面ないし複数の点の接触状態とで分散されることとなり、耐久性に優れた引手とすることができる。
【００１６】
また、指掛け部に指を挿入したときに、回転板は操作部裏面が接触部と接触した状態で立ち上がった状態となるので、指掛け部の深さが回転板に干渉されることなく深くなり、指掛けの深さが十分に確保され、操作性を向上させることができる。
【００１７】
請求項２の発明では、戸パネルに、その表裏面間を貫通する取付穴が形成され、この取付穴に嵌挿される引手本体には、戸パネルの表面側から裏面側まで貫通しかつ両端に開口部を有する貫通穴からなる指掛け部が形成されており、この指掛け部の両開口部をそれぞれ塞ぐ２つの回転板が設けられている。
【００１８】
この請求項２の発明では、引手本体の指掛け部が、戸パネルの一方の表面側から他方の表面側に貫通する貫通穴であるため、この指掛け部の深さが戸パネルの厚さ近くまで深くなって、操作時に指掛け部に指を深く掛けることができ、操作性をさらに向上させることができる。
【００１９】
請求項３の発明では、請求項２の引手において、非操作位置にある回転板の操作部と指掛け部の開口部との間の隙間を通って戸パネル両側の一方の空間の明かりが他方の空間に漏れることを規制する明かり漏れ規制機構を備える。
【００２０】
この請求項３の発明では、明かり漏れ規制機構を備えているため、２つの空間が例えば居室で、それら居室間の引戸に適用した場合に、一方の部屋の光が引手の指掛け部を通して他方の部屋に漏れることを防止することができる。
【００２１】
請求項４の発明では、上記明かり漏れ規制機構は、指掛け部の開口部壁面から開口部中央側へ延びる突起部を備えていて、その突起部が非操作位置にある回転板の操作部にその外側となるように重なり合うことにより明かりの漏れを規制するものとする。
【００２２】
この請求項４の発明では、非操作位置にある回転板と、指掛け部の開口部壁面からその中央側へ延びる突起部とが重なり合って明かりの漏れが規制されるため、回転板と指掛け部との間の隙間の明かり漏れを防止できる。しかも、突起部が回転板の外側にあるため、回転板の回転動作が妨げられることはない。
【００２３】
請求項５の発明では、請求項１の引手において、指掛け部は有底の穴からなり、回転板の操作部は、非操作位置にあるときに開口部の一部から指掛け部内に指が挿入可能となるように該開口部を部分的に塞ぐものとする。
【００２４】
この請求項５の発明では、回転板が回転していない非操作位置にあるときに、その操作部は指掛け部に指が挿入可能なようにその開口部を部分的に塞いでいるため、戸を閉める際に指掛け部内に回転板以外の部分から指を挿入することができ、例えば回転板が操作位置に向かって回転付勢されている場合であっても、その回転板から指が押圧されるようなことは生じない。
【００２５】
請求項６の発明では、上記請求項１〜５のいずれか１つの引手において、引手本体は、回転板を取り付けるための回転板取付部を備え、この回転板取付部は戸パネルに対し、操作位置にある回転板の戸当たり面と平行に延びる固定部材により固定されていることを特徴とする。
【００２６】
この請求項６の発明では、回転板を取り付けるための回転板取付部が、操作位置にある回転板の戸当たり面と平行に延びる固定部材により固定されるため、引戸の開き動作で回転板が控え壁又は引違い戸パネルに当たった際に回転板に作用する衝撃の方向は常に固定部材の軸線方向と直交する方向となり、その衝撃により回転板取付部がずれてしまうのを防止することができる。
【００２７】
請求項７の発明は引戸に関するものであり、この引戸は、請求項１〜６のいずれか１つの引手が戸パネルに対し、回転板が戸パネルの表裏面の少なくとも控え壁側又は引違い戸パネル側の面に位置するように取り付けられ、上記引手における回転板の回転軸からストッパ部先端までの長さよりも、上記戸パネルと控え壁又は引違い戸パネルとの間の隙間の間隔が短いことを特徴とする。
【００２８】
この請求項７の発明では、引手の回転軸から回転板のストッパ部先端までの長さよりも、戸パネルと控え壁又は引違い戸パネルとの間の隙間の間隔が短いので、引戸の開き動作時に、指掛け部の開口部から突出したストッパ部裏面の戸当たり面が確実に控え壁又は引違い戸パネルの端部に当たって引戸の開き動作が停止するようになり、この回転板による停止規制により、指詰めを防止できるとともに、その回転板の戸当たり面が控え壁又は引違い戸パネルの端部に当たる際の衝撃を面ないし複数の点で分散して受けて、引手ないしは引戸の耐久性を高めることができる。
【発明の効果】
【００２９】
以上説明したように、請求項１又は７の発明によると、引戸の戸パネルに取り付けられる引手として、その引手本体に対し回転板を、指掛け部の開口部の少なくとも一部を塞ぐ非操作位置と、操作部が指掛け部内へ移動してストッパ部が開口部から突出する操作位置との間で回転可能に支持し、そのストッパ部裏面に回転板の操作位置で戸パネルと垂直になる戸当たり面を設ける一方、引手本体の指掛け部内の側壁部に、操作位置で回転板の操作部裏面に対し面ないし複数の点で接触する接触部を設けたことにより、戸パネルを開くときの開き位置間際の開き動作を、非操作位置にある回転板の突出したストッパ部と控え壁又は引違い戸パネルとの当接により停止規制して指詰めの防止を図るとともに、そのストッパ部に加わった衝撃を、ストッパ部裏面の戸当たり面と控え壁又は引違い戸パネルとの面接触状態での接触、及び回転板の操作部裏面と接触部との面ないし複数点の接触状態で分散して受けて、引手延いては引戸の耐久性の向上を図ることができる。
【００３０】
請求項２の発明によると、引手本体の指掛け部は、戸パネルの一方の表面側から他方の表面側まで貫通する貫通穴とし、その貫通穴の両開口部をそれぞれ塞ぐ２つの回転板を設けたことにより、操作時に指掛け部内に指を深く掛けて操作性の向上を図ることができる。
【００３１】
請求項３の発明によると、非操作位置にある回転板の操作部と指掛け部の開口部との間の隙間を通って戸パネル両側の一方の空間の明かりが他方の空間に漏れることを規制する明かり漏れ規制機構を設けたことにより、引戸両側の一方の空間の光が引手を通じて他方の空間に漏れるのを防止することができる。
【００３２】
請求項４の発明によると、明かり漏れ規制機構として、指掛け部の開口部壁面から開口部中央側へ延びる突起部を設け、その突起部に非操作位置にある回転板の操作部を内側から重なり合わせるようにしたことにより、回転板の回転動作を妨げることなく、回転板と指掛け部の開口部との間の隙間の明かり漏れを防止することができる。
【００３３】
請求項５の発明によると、指掛け部を有底の穴とし、回転板の操作部は、非操作位置にあるときに開口部の一部から指掛け部内に指が挿入可能となるように開口部を部分的に塞ぐものとしたことにより、戸パネルを閉める際に指掛け部内に回転板以外の部分から指を挿入することができ、操作位置に向かって回転付勢されている回転板により指が押圧されるのを防止することができる。
【００３４】
請求項６の発明によると、引手本体の回転板取付部を戸パネルに対し、操作位置にある回転板の戸当たり面と平行に延びる固定部材を介して固定したことにより、引戸の開き動作で回転板が控え壁又は引違い戸パネルに当たった際の回転板に作用する衝撃により回転板取付部がずれてしまうことを防止することができる。
【図面の簡単な説明】
【００３５】
【図１】図１は、引戸の戸パネルに取り付けられた本発明の実施形態１に係る引手の両回転板がいずれも非操作位置にある状態を示す断面図である。
【図２】図２は、引手の一方の回転板が非操作位置から操作位置に回転した状態を示す図１相当図である。
【図３】図３は回転板が非操作位置にあるときの引手の正面図である。
【図４】図４は回転板が操作位置にあるときの引手の正面図である。
【図５】図５は図４のＶ−Ｖ線断面図である。
【図６】図６はケースの側面図である。
【図７】図７はケースの正面図である。
【図８】図８はカバーの正面図である。
【図９】図９はカバーの平面図である。
【図１０】図１０は図８のＸ−Ｘ線断面図である。
【図１１】図１１は図８のXI−XI断面図である。
【図１２】図１２は突起部を示す拡大断面図である。
【図１３】図１３は回転板の側面図である。
【図１４】図１４は回転板の正面図である。
【図１５】図１５は図１４のXV−XV線拡大断面図である。
【図１６】図１６は回転板の操作部先端の拡大断面図である。
【図１７】図１７は、引戸の戸パネルが開いて引手の回転板が引き違い戸パネルに当たる状態を示す断面図である。
【図１８】図１８は、引違い戸からなる引戸が開いた状態を示す斜視図である。
【図１９】図１９は実施形態２を示す図１相当図である。
【図２０】図２０は実施形態３を示す図２相当図である。
【図２１】図２１は実施形態４を示す図２相当図である。
【図２２】図２２は実施形態５を示す図２相当図である。
【図２３】図２３は実施形態６を示す図２相当図である。
【図２４】図２４は実施形態７を示す図２相当図である。
【発明を実施するための形態】
【００３６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３７】
（実施形態１）
図１８は建物内における例えば部屋等としての室内空間Ｒ１から例えば他の部屋等としての室外空間Ｒ２側を見たものであり、１は室内空間Ｒ１の天井、２は床、３は室外空間Ｒ２との間を仕切る壁である。
【００３８】
上記壁３には両空間Ｒ１，Ｒ２を往来するための出入口４が開口され、この出入口４の周囲は左右の縦枠５，５、上側の鴨居６及び下側の敷居（図示せず）で囲まれている。図示しないが、鴨居６の下面には２条の溝が、また敷居の上面には２条の溝又はレールがそれぞれ上下に対応して設けられ、これら鴨居６の溝と敷居の溝又はレールとの間にそれぞれ互いに同じ大きさの矩形板状の室内側及び室外側の戸パネルＤ１，Ｄ２がそのパネル面に沿った方向（図１８で左右方向）にスライド可能に支持されており、これら２枚の戸パネルＤ１，Ｄ２により本発明の実施形態に係る引違い戸タイプの引戸Ｄが構成されている。
【００３９】
すなわち、この引戸Ｄは、室内側戸パネルＤ１を左端にスライドさせかつ室外側戸パネルＤ２を右端にスライドさせることによって両戸パネルＤ１，Ｄ２の端部同士が部分的に重なった状態で出入口４を閉じる一方、室内側戸パネルＤ１を右端にスライドさせるか、或いは図示のように室外側戸パネルＤ２を左端にスライドさせることによって両戸パネルＤ１，Ｄ２の殆どが重なった状態で出入口４を開くようになっている。
【００４０】
上記室内側戸パネルＤ１の左端部及び室外側戸パネルＤ２の右端部にはそれぞれ本発明の実施形態１に係る引手Ｐ，Ｐが取り付けられている。両戸パネルＤ１，Ｄ２の引手Ｐ，Ｐは互いに同じものが用いられており、以下の説明では、室外側戸パネルＤ２の右端部に取り付けられている引手Ｐについて説明することとし、室内側戸パネルＤ１の左端部の引手Ｐについての説明は省略する。
【００４１】
すなわち、図１及び図２に示すように、戸パネルＤ２（Ｄ１）の表面から裏面まで貫通する縦長矩形状の貫通穴からなる取付穴Ｄ３に取り付けられている。また、図１〜図５に示すように、引手Ｐは、戸パネルＤ２（Ｄ１）の表裏側に開口された指掛け部１０を有する１つの引手本体１１と、２枚の回転板４０，４０とを備え、引手本体１１は１つのケース１２と１対のカバー２４，２４とに分割されている。この引手本体１１及び回転板４０の材料には、鉄、亜鉛、アルミニウム、ステンレス等の金属や合金、合成樹脂等を用いることができる。
【００４２】
上記ケース１２は、図６及び図７に示すように、戸パネルＤ２（Ｄ１）の厚さと同じ幅の板状の基部１３を有する。この基部１３は両端部が同じ向きに直角に折れ曲がったコ字状のもので、その上下方向の長さは戸パネルＤ２（Ｄ１）の取付穴Ｄ３の同長さよりも少し短く、左右方向の長さ（折れ曲がり部分の長さ）は取付穴Ｄ３の左右幅の略半分とされている。基部１３の内側面には１つの縦リブ１４と２つの横リブ１５，１５とが基部１３内側面から突出するように一体に形成され、これら縦リブ１４及び横リブ１５，１５間には１つの補助リブ１６が一体に形成されている。縦リブ１４は基部１３の幅方向中央位置に基部１３の折れ曲がり部分間を接続するように全体に亘って一体に形成され、両横リブ１５，１５は基部１３の長さ方向中間部の両端寄り位置にそれぞれ縦リブ１４と幅方向中央で直交するように形成され、この各横リブ１５の縦リブ１４からの高さは基部１３よりも少し短くされ、その基端は基部１３の内面に接続されている。補助リブ１６は、縦リブ１４の表裏面において２つの横リブ１５，１５同士を接続しかつ幅方向中央で縦リブ１４と直交するように形成され、補助リブ１６の幅は基部１３と略同じとされている。この補助リブ１６の両端部で横リブ１５，１５との交差部分には基部１３の幅方向と平行に延びる円柱状のボス部１７，１７が一体に形成され、この各ボス部１７の中心にはねじ取付孔１８が貫通形成されている。また、基部１３の折れ曲がり部分には縦リブ１４の両側にねじ通し孔１９が貫通形成されている。
【００４３】
そして、横リブ１５，１５の先端面１５ａ，１５ａと、この各横リブ１５に十字状に交差する縦リブ１４の先端面１４ａとは互いに同じ平面上（面一状）に位置している。これらの先端面１４ａ，１５ａは、リブ１４，１５の厚さに相当する比較的幅の広い線状のもので、両先端面１４ａ，１５ａによって接触部２０が構成されている。また、図１及び図２に示すように、ケース１２は、戸パネルＤ２（Ｄ１）の取付穴Ｄ３に対し、その戸パネルＤ２（Ｄ１）が開く方向にスライドする際の前側となる開き側半部に、基部１３の外面を取付穴Ｄ３内側面に密着させて嵌合される。尚、以下の説明では、このように戸パネルＤ２（Ｄ１）が開く方向にスライドする際の前側を「開き側」といい、閉じ方向にスライドする際の前側を「閉じ側」ということもある。
【００４４】
上記各カバー２４は、回転板４０を引手本体１１に取付支持するための回転板取付部を構成している。この１対の両カバー２４，２４は互いに面対称な２種類のものからなり、上記戸パネルＤ２（Ｄ１）の取付穴Ｄ３に対し、戸パネルＤ２（Ｄ１）の表裏両側から上記ケース１２を間に挟むように取り付けられる。
【００４５】
上記のように、１対の両カバー２４，２４は互いに面対称であるので、以下の説明では、室外側戸パネルＤ２に取り付けられた引手Ｐにおいて室内側に位置するカバー２４（室内側戸パネルＤ１に取り付けられた引手Ｐの室外側カバー２４と同じである）についてのみ図８〜図１１に基づいて説明し、室外側に位置するカバー２４（室内側戸パネルＤ１の引手Ｐの室内側カバー２４と同じである）についての説明を省略する。
【００４６】
すなわち、カバー２４は、図８〜図１１に示すように、戸パネルＤ２（Ｄ１）の取付穴Ｄ３の周囲縁部を戸パネルＤ２（Ｄ１）の表側から覆う大きさの縦長の矩形枠状のフレーム部２５を備えている。このフレーム部２５内において、戸パネルＤ２（Ｄ１）が閉じる方向にスライドする際の前側となる閉じ側半部は指掛け部１０の開口部として開放され、この指掛け部１０の開口部に対応するフレーム部２５の裏面には、フレーム部２５の外周端縁よりも内側に、フレーム部２５の幅方向半部に亘り連続して裏側に突出する指受け部としての側板部２６が一体に形成されており、指掛け部１０内に開口部から挿入した指で側板部２６を押すことで、戸パネルＤ２（Ｄ１）を閉じるようにしている。
【００４７】
一方、フレーム部２５内において、戸パネルＤ２（Ｄ１）が開く方向にスライドする際の前側となる開き側半部は平板状のプレート部２７により閉塞されている。このプレート部２７はフレーム部２５の裏面に一体に形成されていて、フレーム部２５に対しプレート部２７がフレーム部２５表面よりも裏側に位置するように段差を介して接続されており、図１及び図２に示すように、カバー２４のケース１２への組付固定時に、この段差の外側にケース１２の基部１３を係合して位置決めするようにしている。
【００４８】
プレート部２７の側板部２６側（閉じ側半部側）の端部には、上下の中央位置から等間隔をあけた位置にそれぞれ上下方向に延びる円筒状の２つの軸受部２８，２８が上下に並んで一体に形成され、これら軸受部２８，２８間のプレート部２７には裏側に突出する板状のスプリング受け２９が一体に形成されている（図１０参照）。また、プレート部２７の上下寄り部分には２つのねじ挿通孔３０，３０が上記ケース１２のねじ取付孔１８，１８に対応して貫通形成されており、このねじ挿通孔３０，３０にねじＳ１，Ｓ１を挿通してケース１２のねじ取付孔１８，１８に螺合締結することで、各カバー２４をケース１２と一体的に組付固定する。
【００４９】
そして、両カバー２４，２４をケース１２に一体的に組み付けることで引手本体１１を組み立て、この引手本体１１の組立状態では、図１及び図２に示すように、両カバー２４，２４の側板部２６，２６同士を突き合わせて面一状に連続させることで、戸パネルＤ２（Ｄ１）の表面側から裏面側まで貫通しかつ両端に開口部を有する貫通穴からなる指掛け部１０を形成するとともに、カバー２４，２４のフレーム部２５，２５において、その側板部２６よりも外側部とケース１２の基部１３よりも外側部とを外向きフランジ状に突出させて、これら両カバー２４，２４のフランジ状部分間に戸パネルＤ２（Ｄ１）の取付穴Ｄ３周縁部を挟み込むようにしている。
【００５０】
また、図８及び図１０に示すように、上記プレート部２７において上側ねじ挿通孔３０の上側には上側に向かって裏側に向かうように傾斜する中心線を有する半円筒状の凹陥部３１が、また下側ねじ挿通孔３０，３０の下側にも下側に向かって裏側に向かうように傾斜する中心線を有する半円筒状の凹陥部３１がそれぞれ形成されている。この各凹陥部３１の中心線上の底部には貫通孔からなるねじ挿通孔３２が上記ケース１２のねじ通し孔１９に対応して形成されており、図５に示すように、引手本体１１に２枚の回転板４０，４０を取り付けて引手Ｐを組み立て、その引手Ｐを戸パネルＤ２（Ｄ１）の取付穴Ｄ３に取り付けた状態で、カバー２４のねじ挿通孔３２とケース１２のねじ通し孔１９とにねじＳ２を挿通して取付穴Ｄ３周縁の戸パネルＤ２（Ｄ１）に締結することにより、引手Ｐを戸パネルＤ２（Ｄ１）に固定するようになっている。
【００５１】
上記カバー２４をケース１２に固定する４本のねじＳ１，Ｓ１，…、及びカバー２４（引手本体１１）を戸パネルＤ２（Ｄ１）に固定する４本のねじＳ２，Ｓ２，…はいずれも本発明でいう固定部材を構成していて、戸パネルＤ２（Ｄ１）の表裏方向に沿った鉛直上下面内に位置している。このことで、回転板取付部としてのカバー２４，２４は戸パネルＤ２（Ｄ１）に対し、操作位置にある回転板４０の後述する戸当たり面４５と平行に延びるねじＳ１，Ｓ２（固定部材）により固定されている。
【００５２】
さらに、図１２に拡大詳示するように、上記フレーム部２５において指掛け部１０の開口部壁面に相当する、閉じ側端部（側板部２６側）ないしその両側に連続する上下端部には、当該部分から開口部中央側に突出する突条からなる突起部３３が形成され、この突起部３３の裏側にはフレーム部２５の裏側に向かって外側（閉じ側端）に向かうように傾斜する傾斜面３３ａが形成されている。
【００５３】
上記各回転板４０は、上記各カバー２４におけるフレーム部２５内の全体を閉塞する大きさの矩形状の平板からなり、このことで上記引手本体１１における貫通状の指掛け部１０の両開口部をそれぞれ回転板４０，４０によって塞ぐようになっている。図１３〜図１５に示すように、各回転板４０裏面の幅方向略中央部には、上下中央位置から等間隔をあけた位置に、上下方向に延びる円筒状の２つの軸受部４１，４１が上下に並んで一体に形成されており、これら２つの軸受部４１，４１内を通る直線（後述する回転軸４４）を境にして、回転板４０は、その一方（閉じ側半部）に操作部４２が、また他方（開き側半部）にストッパ部４３がそれぞれ形成されている。
【００５４】
そして、上記２つの軸受部４１，４１の対向端部間の間隔は、上記カバー２４，２４における２つの軸受部２８，２８の対向端部と反対側端部間の間隔よりも少し大きく設定されており、図４に示すように、この回転板４０裏面の上下２つの軸受部４１，４１間にカバー２４，２４における上下２つの軸受部２８，２８を４つの軸受部２８，２８，４１，４１が直線状に並ぶように直列に上下方向に配置して、それらの軸受部２８，２８，４１，４１内に亘り２つのワッシャ４７，４７を介して１本のピンからなる回転軸４４を挿通させることで、回転板４０を幅方向の略中央部でカバー２４，２４（引手本体１１）に対し上下方向の回転軸４４を中心として非操作位置と操作位置との間で略９０°の範囲を回転可能（揺動可能）となるように取付支持している。その非操作位置では、図１及び図３に示すように、回転板４０の全体つまり操作部４２及びストッパ部４３で引手本体１１におけるカバー２４のフレーム部２５内を覆い、操作部４２により指掛け部１０の開口部全体を塞ぐ一方、その非操作位置で回転板４０の操作部４２（閉じ側半部）の表面を指掛け部１０内へ押すことで非操作位置から略９０°回転して操作位置に至り、その操作位置では、図２及び図４に示すように、ストッパ部４３（開き側半部）が引手本体１１における指掛け部１０の開口部から突出して、室外側戸パネルＤ２が開き位置にスライドしたときに回転板４０の後述する戸当たり面４５が室内側戸パネルＤ１（引違い戸パネル）の端面に当たるようになっている。
【００５５】
回転板４０のストッパ部４３（開き側半部）裏面には平面状の戸当たり面４５が形成されており、この戸当たり面４５は、回転板４０の操作位置でストッパ部４３が指掛け部１０の開口部から突出した際に戸パネルＤ２（Ｄ１）の表面に対して垂直となる。
【００５６】
また、図４に示すように、上記各カバー２４の２つの軸受部４１，４１間の回転軸４４（ピン）周りには捩りコイルばね４６（トーションスプリング）が外嵌合され、このばね４６の一端部は上記カバー２４のスプリング受け２９に、また他端部は回転板４０の裏面にそれぞれ係止状態に当接しており、この捩りコイルばね４６のばね力により回転板４０を常時は非操作位置に位置するように回転付勢し、操作位置にある回転板４０の操作部４２から指先を離した際に回転板４０が非操作位置（回転板４０を指先で押していない状態）に自動的に戻るようにしている。
【００５７】
以上の構造により、引手Ｐは室外側戸パネルＤ２に対し、その回転板４０，４０が戸パネルＤ２の表裏面、つまり引違い戸パネルである室内側戸パネルＤ１側の面と室内側戸パネルＤ１に対し反対側の面とに位置するように取り付けられ、図１７に示すように、この室内側戸パネルＤ１側の面に取り付けられた回転板４０の回転軸４４からストッパ部４３先端までの長さＬ１と、室外側戸パネルＤ２及びその引違い戸パネルである室内側戸パネルＤ１との間、換言すれば両戸パネルＤ１，Ｄ１間の隙間Ｌ２との関係は、後者の間隔Ｌ２が前者の長さＬ１よりも短いものとされている（Ｌ２＜Ｌ１）。
【００５８】
また、回転板４０の操作部４２の周端部には、図１６に拡大して示すように、回転板４０の外側に向かって裏側に向かうように傾斜する傾斜面４２ａが形成されている。
【００５９】
そして、上記各カバー２４におけるフレーム部２５の突起部３３で明かり漏れ規制機構４３が構成されている。この明かり漏れ規制機構４３は、両回転板４０，４０の少なくとも一方が指掛け部１０の開口部を閉じている非操作位置にあるときに、その非操作位置にある回転板４０の操作部４２の周端部にカバー２４におけるフレーム部２５の突起部３３が、該突起部３３を回転板４０の操作部４２外側に配置しかつ各々の傾斜面３３ａ，４２ａを当接させた状態で重なり合うことにより、各回転板４０の操作部４２と指掛け部１０の開口部との間の隙間を通って戸パネルＤ２（Ｄ１）両側の一方の空間（例えば室内）の明かりが他方の空間（例えば室外）に漏れることを規制するようにしている。
【００６０】
また、上記ケース１２における接触部２０（横リブ１５，１５の先端面１５ａ，１５ａ及び縦リブ１４の先端面１４ａ）は、引手本体１１の指掛け部１０内の側壁部において室外側戸パネルＤ２の表面に対して垂直に設けられており、回転軸４４（ピン）の位置設定により、回転板４０が操作位置にある状態では回転板４０の操作部４２の平面状の裏面が接触部２０と平行となって該接触部２０の全体と接触するものとされ、この接触状態で上記ストッパ部４３裏面の戸当たり面４５に対し引違い戸パネルである室内側戸パネルＤ１との衝突による衝撃が加わった際に、その衝撃を分散するように回転板４０の操作部４２裏面に対し接触部２０が、横リブ１５，１５の先端面１５ａ，１５ａ及び縦リブ１４の先端面１４ａにより複数の点で接触するようになっている。
【００６１】
次に、上記実施形態の引手Ｐの使用操作方法について説明する。以下の説明でも、例示として、図１８に示す引戸Ｄにおいて室外側戸パネルＤ２を室内側から開閉するために、その引手Ｐを室内側から操作する場合について説明する。尚、室内側戸パネルＤ１を室外側から開閉するために、その引手Ｐを室外側から操作する場合についても同じである。また、室外側戸パネルＤ２を室外側から開閉する場合や室内側戸パネルＤ１を室内側から開閉する場合には、引違い戸パネルＤ１，Ｄ２が操作者の側にないので、回転板４０が操作位置に回転するものの、その引違い戸パネルＤ１，Ｄ２との間の指詰めや回転板４０の衝突は生じない。
【００６２】
まず、引戸Ｄの開閉が不要で室外側戸パネルＤ２の引手Ｐを操作しないときには、図１及び図３に示すように、その引手Ｐの各回転板４０は捩りコイルばね４６の付勢力によって非操作位置に位置しており、各回転板４０の操作部４２及びストッパ部４３（回転板４０の全体）が引手本体１１におけるカバー２４のフレーム部２５内を覆い、操作部４２は指掛け部１０の開口部全体を塞いでいる。
【００６３】
このように、回転板４０の非操作位置で操作部４２が指掛け部１０を塞ぐので、その引手Ｐを操作していない状態（回転板４０を指先で押していない状態）では、引手Ｐ内の指掛け部１０が外部から見えないとともに、回転板４０の全体がカバー２４のフレーム部２５内を隠すので、見映えや意匠性のよい引手Ｐとすることができる。
【００６４】
次に、引戸Ｄの室外側戸パネルＤ２を操作者が開閉するときには、まず、指により、非操作位置にある回転板４０の操作部４２を指掛け部１０内に捩りコイルばね４６の付勢力に抗して押し込み、回転板４０を回転させながら引手Ｐの指掛け部１０に開口部から指を入れる。この操作により、図２及び図４に示すように、回転板４０が非操作位置から略９０°回転して操作位置に移行する。この操作位置では、回転板４０のストッパ部４３が指掛け部１０の開口部から戸パネルＤ２の表面よりも操作者側に突出し、そのストッパ部４３裏面の戸当たり面４５が戸パネルＤ２の表面に対して垂直となるとともに、操作部４２の裏面が指掛け部１０の内側壁部の接触部２０に押し付けられた当接状態となる。
【００６５】
このように指掛け部１０に指を挿入したときに、回転板４０は操作部４２裏面が接触部２０と接触した状態で立ち上がった状態となるので、指掛け部１０の深さが回転板４０に干渉されることなく深く保たれる。このことで、引手Ｐに対する指掛けの深さが十分に確保され、操作性を向上させることができる。
【００６６】
しかも、上記指掛け部１０が、戸パネルＤ２の一方の表面側から他方の表面側に貫通する貫通穴であり、この指掛け部１０の両開口部がそれぞれ回転板４０，４０により塞がれているので、回転板４０の操作時には、非操作位置にある相手側（室外側）の回転板４０の操作部４２が指掛け部１０の底部となり、その指掛け部１０の深さが戸パネルＤ２における取付穴Ｄ３の厚さ方向の略全体を占める深さとなり、その深い指掛け部１０に指を深く掛けることができ、操作性をさらに向上させることができる。これらの結果、手のカが弱い高齢者等にとっても引戸Ｄの開閉が容易となる。
【００６７】
そして、このように指掛け部１０に指を挿入したまま回転板４０の操作部４２を上記指掛け部１０内の接触部２０に押し付ける側、つまり室外側戸パネルＤ２を開く側に押すことで、室外側戸パネルＤ２が開き方向にスライドして引戸Ｄが開く。この操作位置にある回転板４０の回転軸４４からストッパ部４３先端までの長さＬ１が、戸パネルＤ１，Ｄ１間の隙間Ｌ２よりも大きいので、室外側戸パネルＤ２が全開位置に達する前の位置では、指掛け部１０の開口部から突出したストッパ部４３裏面の戸当たり面４５が室内側戸パネルＤ１（引違い戸パネル）の端部に当たり、この当接規制によって室外側戸パネルＤ２の開き動作が停止する。このような回転板４０との当接による停止規制により、指掛け部１０に挿入した指が室内側戸パネルＤ１との間に挟まれることはなく、指詰めを防止することができる。
【００６８】
そのとき、室内側戸パネルＤ１（引違い戸パネル）の端部と回転板４０のストッパ部４３裏面の戸当たり面４５との衝突により回転板４０に衝撃が加わるが、その戸当たり面４５は回転板４０の操作位置で戸パネルＤ２（Ｄ１）の表面に対して垂直であるので、その戸当たり面４５が室内側戸パネルＤ１（引違い戸パネル）の端部に面接触状態で当たるようになる。また、回転板４０の操作部４２裏面も引手本体１１の指掛け部１０内の接触部２０と面ないし複数の点で接触する。そのため、回転板４０に対する衝撃は、戸当たり面４５での面接触状態と接触部２０における複数の点での接触状態とによって分散され、その衝撃の集中によって回転板４０の変形が生じることがなく、よって引手Ｐの耐久性を優れたものとすることができる。
【００６９】
しかも、引手本体１１は、回転板４０を取り付けるカバー２４，２４（回転板取付部）と、接触部２０を備えるケース１２とからなり、各カバー２４は、ケース１２に対しねじＳ１，Ｓ１により固定されているとともに、戸パネルＤ２に対しカバー２４のねじ挿通孔３２，３２及びケース１２のねじ通し孔１９，を通過するねじＳ２，Ｓ２により固定されている。これら２種類のねじＳ１，Ｓ２は、回転板４０が操作位置に回転してストッパ部４３が突出した際の戸当たり面４５と平行に延びるように固定されているため、上記室外側戸パネルＤ２の開き動作で回転板４０が室内側戸パネルＤ１に当たった際に回転板４０に作用する衝撃の方向はいずれも常に各ねじＳ１，Ｓ２の軸線方向と直交する方向となり、ねじＳ１，Ｓ２を軸線方向に引き抜く方向とはならず、その衝撃の繰返し等によりカバー２４ないし回転板４０が位置ずれするのを防止することができる。尚、本実施形態のようなねじＳ１，Ｓ２に代えて、引手本体１１（ケース１２）が外れない程度の保持力を持つものであれば、釘等の固定部材を用いてもよい。
【００７０】
また、上記回転板４０が平板であり、指掛け部１０内の接触部２０が室外側戸パネルＤ２の表面に対して垂直に設けられているので、操作位置にある回転板４０が戸パネルＤ２の表面に対して垂直に立ち上がるようになり、回転板が戸パネル表面に対して斜めに立ち上がる場合に比べ、引手Ｐの指掛け部１０が引違い戸パネルである室内側戸パネルＤ１により一層近接した位置まで室外側戸パネルＤ２を開くことができ、その分、引戸Ｄの開き状態での出入口４の幅を広く取ることができる。
【００７１】
一方、室外側戸パネルＤ２を閉じるときには、上記引手Ｐの指掛け部１０に指を挿入して接触部２０と反対側の内側壁部（両カバー２４，２４の側板部２６，２６）に引っ掛け、戸パネルＤ２を閉じ方向にスライドさせればよい。このとき、回転板４０を捩りコイルばね４６の回転付勢力に抗して指掛け部１０内に押し込みながら、その側縁部を押すので、そのばね４６の回転付勢力によって指が押される。
【００７２】
尚、上記のように、引手Ｐの回転板４０を操作位置に回転させてストッパ部４３を戸パネルＤ２の表面に対して垂直に立ち上げた状態で、戸パネルＤ２を開き方向にスライドさせると、その開き位置に達する際の指詰めを防止することができるが、このような指詰め防止の操作に代えて次の操作を行うこともできる。すなわち、室外側戸パネルＤ２がある程度開いた状態で、操作位置にある回転板４０のストッパ部４３が室内側戸パネルＤ１の端部に当たる前に、指を引手Ｐの回転板４０から離して指掛け部１０から抜き出す。すると、その回転板４０は捩りコイルばね４６の付勢力により非操作位置に戻り、ストッパ部が戸パネルＤ２から突出しない状態となる。この状態となった後、戸パネルＤ２の端部を押す等の操作を行って戸パネルＤ２を引き続き開き位置にスライドさせれば、戸パネルＤ２を完全に開く（図１８において２枚の戸パネルＤ１，Ｄ２が完全に重なった状態にする）ことができる。
【００７３】
このようにして引戸Ｄを完全に開くと、引き残しをなくすことができ、その出入口４の幅を最大限に広く確保することができる。そのため、車椅子等を用いる場合等、出入口４の幅を比較的広く取る必要がある引戸Ｄの場合においても有用である。すなわち、指詰めの防止を優先する態様と引戸Ｄの出入口４の確保を優先する態様とを切り換えて使用できる。
【００７４】
こうして引戸Ｄが完全に開いた状態から戸パネルＤ２を閉める際の操作性を向上させるために、戸パネルＤ２の引手Ｐよりも外側の側端面に指先を掛ける取手や掘り込みを設けておくのが望ましい。
【００７５】
また、この実施形態においては、引手Ｐの各ケース１２に指掛け部１０内の開口部壁面から開口部中央側へ延びる突起部３３が形成され、この突起部３３が非操作位置にある回転板４０の操作部４２先端にその外側となって各々の傾斜面３３ａ，４２ａで重なり合うようになっている。そのため、引手本体１１の指掛け部１０が貫通穴からなり、この指掛け部１０の両開口部をそれぞれ回転板４０，４０で塞ぐ構造の引手Ｐであっても、その非操作位置にある回転板４０の操作部４２と指掛け部１０の開口部との間の隙間を通って戸パネルＤ２両側の一方の空間（例えば室内）の明かりが他方の空間（例えば室外）に漏れるのを防止することができる。この明かり漏れの防止は、両回転板４０，４０が同時に非操作位置にならない限り維持される。
【００７６】
そのとき、上記突起部３３は非操作位置にある回転板４０の操作部４２外側に形成されているため、その突起部３３が回転板４０の回転動作を妨げることはない。
【００７７】
（実施形態２）
図１９は本発明の実施形態２を示し（尚、以下の各実施形態では、図１〜図１８と同じ部分については同じ符号を付してその詳細な説明は省略する）、明かり漏れ規制機構４３の構造を変えたものである。
【００７８】
すなわち、この実施形態では、上記実施形態１とは異なり、各カバー２４におけるフレーム部２５に突起部３３が設けられていない。その代わり、両カバー２４，２４における側板部２６，２６の先端部にそれぞれ指掛け部１０の中央側に突出する突出部３４，３４が一体に形成されている。これらの突出部３４，３４は互いに対称な断面略三角形状の突条からなり、両突出部３４，３４が互いに突き合わせられて１つの断面略三角形状の突条をなしており、これらの突出部３４，３４によって明かり漏れ規制機構４３が構成されている。突出部３４，３４の突出方向の高さＨは、回転板４０の操作部４２と指掛け部１０内の壁面との間の隙間ｈよりも高く（Ｈ＞ｈ）、かつ回転板４０が回転したときに干渉しない高さとなっている。
【００７９】
その他の構成は実施形態１と同じであり、この実施形態でも実施形態１と同様の作用効果を奏することができる。
【００８０】
（実施形態３）
図２０は実施形態３を示し、回転板４０の操作位置、その戸当たり面４５及び引手本体１１の接触部２０の形状を変更したものである。
【００８１】
この実施形態では、引手本体１１におけるケース１２の縦リブ１４先端部の突出高さは、実施形態１とは異なり、全体として両横リブ１５，１５先端部の突出高さよりも高くなっている。また、各横リブ１５はその幅方向中央にある縦リブ１４との交差部分が縦リブ１４の突出高さと同じで最も高く、幅方向両側の端部に向かって突出高さが低くなっている。このことで、各横リブ１５の先端部は略三角形状で、その先端面１５ａは１対の傾斜面からなるテーパ面となっており、この両横リブ１５，１５のテーパ状の先端面１５ａ，１５ａで接触部２０が構成されている。そして、回転板４０が操作位置に回転したときに、この接触部２０をなす、両横リブ１５，１５のテーパ状先端面１５ａ，１５ａのうちの一方の傾斜面に操作部４２裏面が当接することで、戸パネルＤ２（Ｄ１）の表面に対し直角ではなく傾斜して立ち上がるようになっている。
【００８２】
また、回転板４０のストッパ部４３の裏面には、断面略三角形状の板状部５０が一体に形成され、その板状部５０の先端に戸パネルＤ２（Ｄ１）の表面に対して垂直となる戸当たり面４５が設けられている。
【００８３】
その他は実施形態１と同様であり、よって、この実施形態でも実施形態１と同様の作用効果が得られる。
【００８４】
（実施形態４）
図２１は実施形態４を示し、上記実施形態３と同様の構造を有するケース１２の他に補助ケース１２′が設けられている。この補助ケース１２′は、ケース１２の基部１３と同様に、両端部が同じ向きに直角に折れ曲がったコ字状のもので、その長さは戸パネルＤ２（Ｄ１）の取付穴Ｄ３の長さよりも少し短く、左右長さ（折れ曲がり部分の長さ）は取付穴Ｄ３の幅の略半分とされ、幅方向の端部は指掛け部１０の外側に段差状に突出している。そして、補助ケース１２′は戸パネルＤ２（Ｄ１）の取付穴Ｄ３にケース１２と反対側半部に、その折れ曲がり部分の先端部をケース１２の基部１３の折れ曲がり部分先端と突き合わせた状態で嵌装されている。
【００８５】
一方、各カバー２４においてはフレーム部２５の閉じ側半部裏面に側板部２６が設けられておらず、裏面側に突出する突条部３５が一体に形成されている。そして、このフレーム部２５の突条部３５が上記補助カバー２４の幅方向端部の段差部の内側に段差部を除く部分と面一になるように重なった状態で両カバー２４，２４が補助ケース１２′に組み付けられており、上記両カバー２４，２４の側板部２６，２６の代わりに、この補助ケース１２′で指受け部が構成されている。
【００８６】
そして、フレーム部２５には突起部３３が形成されておらず、それに代えて、上記補助ケース１２′の幅方向中央部には指掛け部１０中央側に断面半円弧状に膨出する膨出部３６が形成され、この膨出部３６により明かり漏れ規制機構４３が構成されている。この膨出部３６の膨出方向の高さＨは、上記実施形態２と同様に、回転板４０の操作部４２と指掛け部１０内の壁面との間の隙間ｈよりも高く（Ｈ＞ｈ）、かつ回転板４０が回転したときに干渉しない高さとなっている。
【００８７】
その他の構成は実施形態３と同じであり、この実施形態でも実施形態３と同様の作用効果を奏することができる。
【００８８】
（実施形態５）
図２２は実施形態５を示し、以上の各実施形態では指掛け部１０が貫通穴であるのに対し、有底穴とするとともに、その指掛け部１０の開口の一部を非操作位置で開放するようにしたものである。
【００８９】
すなわち、この実施形態では、引手本体１１のケース１２における横リブ１５，１５は上記実施形態１，２と同様に戸パネルＤ２（Ｄ１）における取付穴Ｄ３の略中央まで突出し、その先端面１５ａ，１５ａ（接触部２０）は戸パネルＤ２（Ｄ１）と直交する方向に延びている。これに対し、縦リブ１４は横リブ１５，１５よりも延長され、その先端部は戸パネルＤ２（Ｄ１）の取付穴Ｄ３の閉じ側半部周縁まで延びて両カバー２４，２４の側板部２６，２６間に挟持されており、この縦リブ１４の延長部分により戸パネルＤ２（Ｄ１）の取付穴Ｄ３が戸パネル厚さ方向に２分割されて、引手本体１１内に有底の穴からなる２つの指掛け部１０，１０が区画され、その各指掛け部１０の底部は縦リブ１４の延長部分で構成されている。
【００９０】
そして、各回転板４０については、その操作部４２の幅が上記各実施形態のものよりも短く、操作位置に回転したときに、操作部４２の先端が上記各指掛け部１０の底部（縦リブ１４の延長部分）と干渉しないようになっている。また、回転板４０は操作部４２がストッパ部４３との境界部分（回転軸４４の位置）から裏側に斜めに折れ曲がっている。さらに、実施形態３と同様に（図２０参照）、回転板４０のストッパ部４３の裏面に断面略三角形状の板状部５０が一体に形成されて、その板状部５０の先端に戸パネルＤ２（Ｄ１）の表面に対して垂直となる戸当たり面４５が設けられており、回転板４０の操作位置では、操作部４２裏面が戸パネルＤ２（Ｄ１）と直交する方向に延びて引手本体１１におけるケース１２の横リブ１５，１５のみからなる接触部２０と当接し、ストッパ部４３が斜めに突出して戸当たり面４５が戸パネルＤ２（Ｄ１）と直交する方向になる一方、非操作位置では、操作部４２が指掛け部１０内に開口部から少し落ち込み、かつその開口部を一部から指掛け部１０内に指が挿入可能となるように部分的に塞ぐものとなっている（図２２下側参照）。また、この実施形態では、指掛け部１０が有底の穴であるので、明かり漏れ規制機構４３は設けられていない。その他は上記実施形態１と同じである。
【００９１】
したがって、この実施形態においても実施形態１と同様の作用効果が得られる。また、回転板４０が回転していない非操作位置にあるときに指掛け部１０の開口部を塞がず、その指掛け部１０内に開口部から指が挿入可能となっている。このため、上記各実施形態のものでは、戸パネルＤ２（Ｄ１）を閉めるときにも、回転板４０を捩りコイルばね４６の回転付勢力に抗して指掛け部１０内に押し込みながら、その指掛け部１０内の指受け部を押すので、ばね４６の回転付勢力によって指が押されるのに対し、この実施形態では、戸パネルＤ２（Ｄ１）を閉める際に指掛け部１０内に開口部から指を挿入しても、その指が回転板４０で押圧されることはない。
【００９２】
（実施形態６）
図２３は実施形態６を示し、上記実施形態５において、引手本体１１の接触部２０（横リブ１５，１５の先端面１５ａ，１５ａ）を斜めにし、かつ回転板４０を折れ曲がりをなくしたものである。
【００９３】
すなわち、この実施形態では、上記実施形態３（図２０参照）と同様に、引手本体１１におけるケース１２の横リブ１５，１５先端部は略三角形状で、その先端面１５ａ，１５ａが１対の傾斜面からなるテーパ面であり、この横リブ１５，１５の先端面１５ａ，１５ａで接触部２０が構成されている。その他の構成は上記実施形態５（図２２参照）と同様であり、この実施形態でも実施形態５と同様の作用効果を奏することができる。
【００９４】
（実施形態７）
図２４は実施形態７を示し、以上の実施形態では戸パネルＤ２（Ｄ１）にその表裏面両側から操作可能な引手Ｐを取り付けているのに対し、片側のみから操作可能な引手Ｐを取り付けたものである。
【００９５】
すなわち、この実施形態では、室外側戸パネルＤ２の室内側表面（室内側戸パネルＤ１の室外側表面）に、引手Ｐを取り付けるための有底の取付穴Ｄ３が形成されている。また、引手本体１１のケース１２には、その基部１３の一方の端部から縦リブ１４と平行に戸パネルＤ２（Ｄ１）の取付穴Ｄ３の閉じ側半部周縁まで延びる底壁部２１と、この底壁部２１の先端ないし側端から直角に基部１３と対向するようにかつ縦リブ１４の延長面上の位置まで延びるコ字状の側壁部２２とがそれぞれ一体に形成され、横リブ１５，１５及び補助リブ１６は底壁部２１にも一体に接続されている。尚、ボス部１７及びねじ取付孔１８は、補助リブ１６の端部と横リブ１５，１５との交差部分のうち底壁部２１と反対側に位置する半部のみに設けられており、底壁部２１側に位置する半部には設けられていない。
【００９６】
そして、カバー２４は戸パネルＤ２（Ｄ１）の取付穴Ｄ３の開口側に１つのみ設けられている。このカバー２４のねじＳ１，Ｓ１によるケース１２への組付けにより、カバー２４の側板部２６先端がケース１２における側壁部２２の先端と面一状に突き合わされて連続しており、このことで引手本体１１には有底穴からなる１つの指掛け部１０のみが形成されている。その他の構成は、上記実施形態１と同様である。
【００９７】
したがって、この実施形態でも実施形態１と同様の作用効果が得られる。
【００９８】
（その他の実施形態）
尚、本発明は以上の実施形態に限定されるものではなく、その他の種々の実施形態をも包含している。例えば、上記実施形態７では、戸パネルＤ２（Ｄ１）に有底の取付穴Ｄ３を形成し、この取付穴Ｄ３に戸パネルＤ２（Ｄ１）の一方の面からのみ操作する引手Ｐを取り付けているが、この実施形態７の構造の２つの引手Ｐ，Ｐをそれぞれ戸パネルＤ２（Ｄ１）の表裏面両側に取り付けてもよい。さらには、実施形態７の構造の引手Ｐを戸パネルＤ２（Ｄ１）の表裏面の一方に取り付ける一方、他方には従来知られている指掛け凹部を設けた引手を取り付けることもでき、これらの場合は戸パネルＤ２（Ｄ１）の取付穴Ｄ３を実施形態１の如く貴通穴とすればよい。
【００９９】
また、上記実施形態では、引手本体１１の接触部２０を、ケース１２の１条の縦リブ１４及び２条の横リブ１５，１５の各先端面１４ａ，１５ａが十字状に交差したもの（実施形態１参照）、或いは一定間隔をあけて平行に並んだ２条の横リブ１５，１５の先端面１５ａ，１５ａ（実施形態３参照）で構成しているが、この接触部２０は、これらの構成に限定されず、さらに別の配置を持つ複数の点や面板状のものであってもよい。つまり、回転板４０の操作位置で戸当たり面４５に加わる衝撃を分散するように回転板４０の操作部４２裏面に対し面ないし複数の点で接触するものであれば任意のものを採用することができる。
【０１００】
さらに、上記実施形態では、引戸Ｄとして、２枚の戸パネルＤ２（Ｄ１）を用いた引違い戸を例示しているが、３枚以上の複数の戸パネルが水平方向にスライドすることにより出入口を開閉する引違い戸、その他、１枚の戸パネルを１つの控え壁の内部や側方にスライドさせて開閉する片引戸や、２枚の戸パネルをそれぞれ２つの控え壁間でスライドさせて開閉するいわゆる引分の両引戸等、開いた際に戸パネルが控え壁に収まる引込み戸で構成される引戸に対しても本発明を適用することができる。
【０１０１】
また、上記実施形態では、建物内の部屋間の壁に設けられた出入口４を開閉する引戸Ｄ及びそれに用いられる引手Ｐに本発明を適用した例であるが、本発明は収納の引戸等についても適用可能である。
【産業上の利用可能性】
【０１０２】
本発明は、引戸の開き操作での指詰めの防止と引手の耐久性の向上とを併せ図る点で極めて有用であり、産業上の利用可能性が高い。
【符号の説明】
【０１０３】
Ｄ  引戸
Ｄ１  室内側戸パネル
Ｄ２  室外側戸パネル
Ｄ３  取付穴
Ｐ  引手
１０  指掛け部
１１  引手本体
１４  縦リブ
１４ａ  先端面
１５  横リブ
１５ａ  先端面
２０  接触部
２４  カバー（回転板取付部）
２５  フレーム部
２６  側板部
２７  プレート部
Ｓ１  ねじ（固定部材）
Ｓ２  ねじ（固定部材）
３３  突起部
３４  突出部
３６  膨出部
Ｈ  高さ
ｈ  回転板と指掛け部の内壁面との間の隙間
４０  回転板
４２  操作部
４３  ストッパ部
４４  回転軸
４５  戸当たり面
４６  捩りコイルばね
４８  明かり漏れ規制機構
Ｌ１  回転板の回転軸からストッパ部先端までの長さ
Ｌ２  両戸パネル間の隙間
５０  板状部
【図１】
2011012439.tif 000003
【図２】
2011012439.tif 000004
【図３】
2011012439.tif 000005
【図４】
2011012439.tif 000006
【図５】
2011012439.tif 000007
【図６】
2011012439.tif 000008
【図７】
2011012439.tif 000009
【図８】
2011012439.tif 000010
【図９】
2011012439.tif 000011
【図１０】
2011012439.tif 000012
【図１１】
2011012439.tif 000013
【図１２】
2011012439.tif 000014
【図１３】
2011012439.tif 000015
【図１４】
2011012439.tif 000016
【図１５】
2011012439.tif 000017
【図１６】
2011012439.tif 000018
【図１７】
2011012439.tif 000019
【図１８】
2011012439.tif 000020
【図１９】
2011012439.tif 000021
【図２０】
2011012439.tif 000022
【図２１】
2011012439.tif 000023
【図２２】
2011012439.tif 000024
【図２３】
2011012439.tif 000025
【図２４】
2011012439.tif 000026